(57)【要約】 【課題】菱形金網を形成する列線を滑りにくくすることにより、石詰篭の地面に対する係止力及び隣接する石詰篭同士の係止力を高めて設置強度を増大させると共に、その上を人が歩いても滑りにくくして安全性を高める。【解決手段】扁平螺旋状に折曲した複数の列線２０を折曲部２０ｂにおいて順次連繋してなる菱形金網により形成され、内部に栗石を詰めた状態で現場に設置される石詰篭において、上記菱形金網を形成する列線２０の表面に、該列線２０に対して交差する方向を向く凹溝２７を、該列線２０の長さ方向に間隔をおいて形成し、この凹溝２７を、石詰篭の内側と外側とに向ける。【選択図】図３
2009030240.tif 000002
【特許請求の範囲】
【請求項１】
扁平螺旋状に折曲した複数の列線を折曲部において順次連繋してなる菱形金網により箱形又は筒形に形成され、内部に栗石を詰めた状態で現場に設置される石詰篭であって、上記菱形金網を形成する列線の表面に、該列線に対して交差する方向を向く凹溝が、該列線の長さ方向に間隔をおいて形成されていることを特徴とする石詰篭。
【請求項２】
上記列線の外周面における一半部側の半周面と他半部側の半周面とにそれぞれ、個々に独立する複数の凹溝が並列状態に形成されていて、これら両半周面の凹溝が列線の少なくとも一部において石詰篭の内側と外側とに向けられていることを特徴とする請求項１に記載の石詰篭。
【請求項３】
上記列線の外周面における一半部側の半周面と他半部側の半周面とにそれぞれ、個々に独立する複数の凹溝が並列状態に形成され、また、上記列線は周方向に捻られていて、上記両半周面の複数の凹溝が該列線の捻れに沿って順次向きを変えながら該列線の周囲全方向を向いていることを特徴とする請求項１又は２に記載の石詰篭。
【請求項４】
上記凹溝が、上記列線の外周を取り巻く螺旋に沿って斜めに形成されていることを特徴とする請求項１から３の何れかに記載の石詰篭。
【請求項５】
上記凹溝の配列間隔が列線の線径と同等又はそれ以下であると共に、該凹溝の溝幅が、隣接する凹溝間に介在する溝間部の部幅と同等又はそれ以下であることを特徴とする請求項１から４の何れかに記載の石詰篭。
【発明の詳細な説明】
【技術分野】
【０００１】
本発明は、内部に石を詰めて護岸工事や宅地造成工事等に使用する石詰篭に関するものである。
【背景技術】
【０００２】
護岸工事や道路工事等の各種工事に使用される石詰篭は、通常、菱形金網によって円筒形や角形に形成され、内部に栗石を詰めた状態で現場に設置される。図１０には、細長い円筒形の石詰篭１を、内部に栗石２を詰めて法面の傾斜に沿って設置したものが示されている。また、図１１には、角形の石詰篭（フトン篭）３を、内部に栗石２を詰めて川岸に段積した状態が示されている。
【０００３】
このような石詰篭に要求されることは、設置後の安定性に勝れていて、地盤を強固に固定できるということである。特に、地震によって地盤が振動したり、水流や土石等による大きな外力が石詰篭に加わったような場合でも、該石詰篭の地面に対する滑りや隣接する石詰篭同士の滑りを生じにくくして水害や土砂崩れ等を未然に防止できるように、常に設置時の安定姿勢を維持できるということが重要である。
また、石詰篭の設置工事中や、その設置後等には、設置された石詰篭の上を作業者や一般歩行者が歩くこともあるが、このような場合に石詰篭が滑ると非常に危険であるため、該石詰篭の表面は滑りにくくなっていることも要求される。
【０００４】
ところが、上記従来の石詰篭は、一般に、円形の針金（列線）からなる菱形金網で形成されているため、該針金の表面が滑り易く、地面に対する係止力も隣接する石詰篭同士の係止力も弱いという問題があった。従って、地震やその他の災害時に、石詰篭がずれ動いて位置ずれしたり傾いたりし易く、また、設置した石詰篭の上を作業者や一般歩行者が歩くと非常に危険である。
【発明の開示】
【発明が解決しようとする課題】
【０００５】
上述した従来の問題点に鑑み、本発明の目的は、菱形金網を形成する列線を滑りにくくすることにより、石詰篭の地面に対する係止力及び隣接する石詰篭同士の係止力を高めて設置強度を増大させると共に、その上を人が歩いても滑りにくくして安全性を高めることにある。
【課題を解決するための手段】
【０００６】
上記目的を達成するため、本発明によれば、扁平螺旋状に折曲した複数の列線を折曲部において順次連繋してなる菱形金網により箱形又は筒形に形成され、内部に栗石を詰めた状態で現場に設置される石詰篭であって、上記菱形金網を形成する列線の表面に、該列線に対して交差する方向を向く凹溝が、該列線の長さ方向に間隔をおいて形成されていることを特徴とする石詰篭が提供される。
【０００７】
本発明においては、上記列線の外周面における一半部側の半周面と他半部側の半周面とにそれぞれ、個々に独立する複数の凹溝が並列状態に形成されていて、これら両半周面の凹溝が列線の少なくとも一部において石詰篭の内側と外側とに向けられていることが望ましい。
あるいは、上記列線の外周面における一半部側の半周面と他半部側の半周面とにそれぞれ、個々に独立する複数の凹溝が並列状態に形成され、また、上記列線は周方向に捻られていて、上記両半周面の複数の凹溝が該列線の捻れに沿って順次向きを変えながら該列線の周囲全方向を向いていても良い。
【０００８】
本発明において好ましくは、上記凹溝が、上記列線の外周を取り巻く螺旋に沿って斜めに形成されていることであり、あるいは、上記凹溝の配列間隔が列線の線径と同等か又はそれ以下であると共に、該凹溝の溝幅が、隣接する凹溝間に介在する溝間部の部幅と同等か又はそれ以下であることである。
【発明の効果】
【０００９】
本発明の石詰篭によれば、菱形金網を形成する列線の表面に、該列線と交差する方向の凹溝を形成したことにより、該列線が滑りにくくなり、その結果、該石詰篭の地面に対する係止力と、隣接する石詰篭同士の係止力とが高まり、該石詰篭の設置強度即ち地盤支持強度が増大する。また、設置された石詰篭の上を歩いても滑りにくいため、安全性にも勝れる。
【発明を実施するための最良の形態】
【００１０】
以下、本発明に係る石詰篭の一実施形態について図面を参照しながら詳細に説明する。図１に示す石詰篭１０は、角形の石詰篭であって、菱形金網で矩形の容器形に形成された篭本体１１と、この篭本体１１の上面に取り付けられる菱形金網１３（図２参照）製の矩形の蓋網板１２とで形成され、内部に栗石等を詰めた状態で、図１１に示すように護岸工事や宅地造成工事等に使用されるものである。
【００１１】
上記篭本体１１は、矩形の底網板１６と、前後一対の矩形の側網板１７，１７と、左右一対の矩形の側網板１８，１８とで構成されている。このうち、底網板１６と前後の側網板１７，１７とは、１枚の菱形金網によって一連に形成され、それらの境界部分に１本の枠線１９が挿通されている。また、底網板１６と左右の側網板１８，１８とは、互いに別々に形成され、底網板１６における列線２０の端部に形成した環２１と、側網板１８の最下端に位置する列線２０の折曲部２０ｂとに、共通の枠線２２を挿通することにより、これらの底網板１６と側網板１８とが相互に連結されている。更に、隣接する側網板１７と１８との側辺同士の連結は、それらの相対する枠線がスクリューストッパ２３で連結されている。
上記篭本体１１に蓋網板１２を取り付ける場合は、該蓋網板１２の枠線２４と、上記側網板１７及び１８の上端の枠線１７ａ及び１８ａとが、上述したスクリューストッパで連結される。
図中２５は、上記各網板の中央部に張設した補強用の骨線である。
【００１２】
上記菱形金網１３は、図２にその一部を示すように、扁平螺旋状に折曲した複数の列線２０（図４参照）を折曲部２０ｂにおいて順次係合することにより構成されたものであるが、このような菱形金網１３の構成自体は周知のものである。そして、この菱形金網１３で上記各網板１２，１６，１７，１８を形成し、これらの網板で図１の石詰篭１０を構成した場合、図２において、菱形金網１３の向こう側（紙面の裏側）が石詰篭１０の内側又は外側となり、手前側（紙面の表側）が石詰篭１０の外側又は内側となる。
【００１３】
上記複数の列線２０のうち一部又は全部の列線には、滑り止めの機能を持たせるため、その表面に、図３及び図４に示すように、該列線２０と交差する方向の凹溝２７が、該列線２０の長さ方向に一定の間隔を保って形成されている。この凹溝２７は、図５及び図６に詳細に示すように、円形断面を有する針金２１ａの表面に、該針金２１ａの中心軸線Ｌ１と交差する方向に延在させて形成したもので、図示した例では、針金２１ａの外周面における一半部側の半周面Ｍ１と他半部側の半周面Ｍ２とに、それぞれ、個々に独立する複数の凹溝２７が、針金２１ａの外周面を取り巻く螺旋に沿ってほぼ等間隔に配設されている。
【００１４】
上記凹溝２７は、上記各半周面Ｍ１，Ｍ２の周方向の全面域にわたって延在しているのではなく、該半周面Ｍ１，Ｍ２の両周端付近を除く一部の面域だけに形成されている。このため、上記針金２１ａにおける２つの半周面Ｍ１，Ｍ２の境界付近には、凹溝２７の形成されていない２つの無溝部２８が相反する位置に形成されることになる。
【００１５】
上記凹溝２７は、それを形成することによる列線２０の強度低下をできるだけ避けながら、同時に有効な滑り止め効果を発揮できるものであることが望ましい。このため、図５及び図７から分かるように、凹溝２７の深さＨは、針金２０ａの表面から僅かに落ち窪む程度の比較的浅い深さに形成され、該凹溝２７の配列間隔Ｐは、上記針金２０ａ即ち列線２０の線径Ｄと同等かそれ以下に形成され、かつ、該凹溝２７の溝幅Ｗ１は、隣接する凹溝２７，２７間に介在する溝間部２９の部幅Ｗ２と同等かそれより若干大きめあるいは小さめであるように形成されることが望ましい。このときの上記凹溝２７の深さＨと溝幅Ｗ１の好ましい関係は、Ｈ＝１／２Ｗ１〜１／７Ｗ１程度であり、より好ましくは１／３Ｗ１〜１／５Ｗ１程度である。しかし、列線２０の線径Ｄや石詰篭１０の大きさあるいはその設置条件等によっては、上記関係は変更されても良い。
【００１６】
また、上記凹溝２７の溝断面形状は、図７に示すように、Ｕ字を扁平にしたような形をしていて、針金２０ａの軸線Ｌ１方向に平坦な溝底壁２７ａと、この溝底壁２７ａに滑らかに連なる溝側壁２７ｂとを有していることが望ましい。しかし、これらの溝底壁２７ａと溝側壁２７ｂとは角を介して連なっていても良い。あるいは、図８に示すように、凹溝２７全体が浅い弧状に湾曲した溝断面を有していても良い。
【００１７】
而して、図３及び図４に示す列線２０の例では、該列線２０の２つの半周面Ｍ１，Ｍ２にそれぞれ形成された凹溝２７が、この列線２０が形作る扁平な螺旋の内側と外側とに向けられている。従って、この列線２０を使用した菱形金網１３で図１の石詰篭１０を形成した場合、上記両半周面の凹溝２７がほぼ全て該石詰篭１０の内側と外側とを向くことになる。
しかし、上記凹溝２７は、列線２０全体にわたって設けることなく、折曲部２０ｂを除くその他の部分に設けるとか、列線２０に凹溝２７が形成されている領域と形成されていない領域とが交互に存在するといったように、該列線２０に部分的に設けることも可能である。あるいは、凹溝２７が石詰篭１０の内側と外側とを向く領域と、その他の方向を向く領域とを、列線２０に混在させても良い。
【００１８】
また、図９に示す別の列線２０の例では、該列線２０が針金２０ａの中心軸線Ｌ１の回り即ち周方向に緩やかに捻られていて、２つの半周面Ｍ１，Ｍ２にそれぞれ形成された複数の凹溝２７が、その捻れに従って該列線２０の周方向に順次向きを変えながら、該列線２０の周囲全方向を向いている。従って、この列線２０を使用した菱形金網１３で図１の石詰篭１０を形成した場合には、上記凹溝２７が、石詰篭１０の内側と外側だけでなく、それ以外のあらゆる方向を向くことになる。
この図９の列線２０の場合にも、凹溝２７を列線２０に部分的に設けることができ、また、図３に示す列線２０と図９に示す列線２０を混用して上記菱形金網１３を形成することも可能である。
【００１９】
従って、上記石詰篭１０を図１１に示すように現場に設置した場合、何れの網板１２，１６，１７，１８においても、列線２０の凹溝２７が少なくとも必ず該石詰篭１０の内側と外側とを向いた状態に位置することになる。このため、主として石詰篭１０の外側を向く上記凹２７溝の係止力により、該石詰篭１０の地面に対する係止力が増大するだけでなく、隣接する石詰篭１０，１０同士が接触する部分において篭相互間の係止力も増大し、該石詰篭の設置強度即ち地盤支持強度が増大する。従って、地震による振動が作用したり水流や土石等による大きな外力が石詰篭に加わったような場合でも、該石詰篭は地面あるいは隣接する石詰篭に対してしっかりと係止し、安定姿勢を保って地盤を強固に固定することになる。このため、石詰篭の位置ずれによる護岸の崩壊や法面の土砂崩れ等が発生しにくくなる。
また、内部に詰めた栗石と列線２０との間の係止力も強まるため、該栗石がずれ動きにくくなり、栗石の位置ずれによる石詰篭１０の変形が防止される。
更に、設置された石詰篭１０の上を作業者や一般歩行者が歩いた場合でも、上述したように列線が滑りにくいため、安全である。
【００２０】
なお、上述した各例では、上記凹溝２７が、列線２０（針金２０ａ）の中心軸線Ｌ１に対して螺旋方向に傾斜した状態に設けられているが、該凹溝２７は、上記中心軸線Ｌ１に対して垂直な面内を列線２０の円周方向に延在させて形成することもできる。この場合、２つの半周面Ｍ１，Ｍ２の凹溝２７，２７は、互いに同じ円周上にあっても良いが、それらの配列位置が互いに１／２ピッチずれていても構わない。
【００２１】
また、上記実施形態では、凹溝２７が、列線２０の一側の半周面Ｍ１と他側の半周面Ｍ２とに別々に形成されているが、これら凹溝２７は、列線２０を取り巻く一重または多重の螺旋として連なった状態に形成することも可能である。あるいは、上述したように凹溝２７を円周方向に設ける場合には、２つの半周面Ｍ１，Ｍ２の凹溝２７，２７同士を、相互に連なったリングの形に形成することもできる。
更に、本発明は、上述した角形の石詰篭１０だけでなく、円筒形の石詰篭にも適用することができるものである。
【図面の簡単な説明】
【００２２】
【図１】本発明に係る石詰篭の蓋網板を取り外した状態の斜視図である。
【図２】上記石詰篭を形成する菱形金網の部分拡大平面図である。
【図３】図２の菱形金網を形成する列線の一例を示す部分拡大図である。
【図４】図３の列線の側面図である。
【図５】図３の列線の部分拡大正面図である。
【図６】図５の断面図である。
【図７】図５のＡ−Ａ線の位置での拡大断面図である。
【図８】凹溝の異種例を示す要部断面図である。
【図９】図２の菱形金網を形成する列線の他例を示す部分拡大図である。
【図１０】石詰篭の設置態様の一例を示す側断面図である。
【図１１】石詰篭の設置態様の他例を示す側断面図である。
【符号の説明】
【００２３】
１０      石詰篭
１３      菱形金網
２０      列線
２０ｂ      折曲部
２７      凹溝
２９      溝間部
Ｍ１，Ｍ２      半周面
Ｐ      配列間隔
Ｄ      線径
Ｗ１      溝幅
Ｗ２      部幅
【図１】
2009030240.tif 000003
【図２】
2009030240.tif 000004
【図３】
2009030240.tif 000005
【図４】
2009030240.tif 000006
【図５】
2009030240.tif 000007
【図６】
2009030240.tif 000008
【図７】
2009030240.tif 000009
【図８】
2009030240.tif 000010
【図９】
2009030240.tif 000011
【図１０】
2009030240.tif 000012
【図１１】
2009030240.tif 000013